(57)【要約】【課題】本発明は、小型でかつ外部からの衝撃・振動に強い携帯電子機器を提供する。【解決手段】携帯電子機器は、第一の筐体と、当該第一の筐体に取り付けられた第二の筐体と、第一及び第二の筐体に収納された電気基板と、電気基板に取り付けられた弾性を有する金属製の保持部材と、第一及び第二の筐体間に保持部材を挟み込んだ状態で固定し、電気基板を第一及び第二の筐体内の所定位置に保持部材を介して固定する固定部材を有する。【選択図】図２
2005303159.tif 000002
【特許請求の範囲】
【請求項１】
第一の筐体と、
前記第一の筐体に取り付けられた第二の筐体と、
前記第一及び第二の筐体に収納された電気基板と、
前記電気基板に取り付けられた弾性を有する金属製の保持部材と、
前記第一及び第二の筐体間に前記保持部材を挟み込んだ状態で固定し、前記電気基板を前記第一及び第二の筐体内の所定位置に前記保持部材を介して固定する固定部材、
を有した携帯電子機器。
【請求項２】
前記固定部材は、前記第一および第二の筐体および前記保持部材を貫通するねじである、請求項１に記載の携帯電子機器。
【請求項３】
前記保持部材は金属板を段状に加工して形成された、請求項１または２に記載の携帯電子機器。
【請求項４】
前記保持部材は、
前記電気基板の表面と実質的に平行でかつ前記固定部材により前記第一及び第二の筐体に対し固定された平面部と、
前記電気基板に半田によって取り付けられた接合部を有し、
前記平面部と前記接合部間の距離が前記第一及び第二の筐体内の構造に対応して設定された、請求項３に記載の携帯電子機器。
【請求項５】
前記保持部材は、前記電気基板に半田によって取り付けられた接合部を有し、当該接合部は少なくとも一つの通孔を有し、前記半田が当該通孔内に存在する、請求項３に記載の携帯電子機器。
【請求項６】
前記第一及び第二の筐体の少なくとも一つのうち、少なくとも一部が金属製である、請求項１から５に記載の携帯電子機器。
【請求項７】
前記携帯電子機器が、携帯電話機である請求項１から６に記載の携帯電子機器。
【発明の詳細な説明】
【技術分野】
【０００１】
本発明は、筐体内に電気基板が収納されて固定された携帯電子機器に関するものである。
【背景技術】
【０００２】
携帯電話機などの携帯電子機器では、全部または一部が金属製の筐体に電気基板が収納され、その筐体と電気基板の一部が同電位となる必要のある場合がある。また、その筐体と電気基板が強く固定される必要のある場合がある。
【０００３】
以下、このような電気基板を有する携帯電子機器の一例について、図面を参照しながら、説明する。
【０００４】
図８は、携帯電子機器１００へ電気基板１０３を取り付ける様子を示した断面図であり、筐体１０１（金属製もしくは樹脂製）に、電気基板１０３と筐体１０２（金属製）がねじ１０５によって締結されている。  筐体と電気基板の一部を同電位とするために、電気基板１０３の一部の配線を露出させ、筐体１０２と接触させている。また筐体１０１、１０２と電気基板１０３を強く固定するために、ねじ１０５によって筐体１０１、１０２と電気基板１０３を締結している。
【０００５】
【特許文献１】特開平８−２２３２６０号公報
【発明の開示】
【発明が解決しようとする課題】
【０００６】
しかしながら、このような電気基板取り付け構造では、筐体と電気基板が完全に固定されてしまい、筐体にかかる衝撃・振動などの外力が直接電気基板に伝わり、電気基板上の電機部品に悪影響を及ぼす可能性がある。また、締結部のねじボス・ねじ座面の構造と電気基板の位置関係に制約が大きく、小型な携帯電子機器においては問題である。また、初期締結による外力で基板が圧縮され、自然にねじ締結がゆるみ接触抵抗が増大する可能性がある。さらに基板の圧縮された部分が経時変化により塑性変形し、ねじの緩みが発生する可能性もある。
【０００７】
本発明は、上記した事情に鑑み、筐体内の構造に依らず、筐体に電気基板を強く固定し、落下時の衝撃・振動などの外力が直接電気基板に伝わることを防止することができる、携帯電子機器を提供することを目的とするものである。
【課題を解決するための手段】
【０００８】
本発明の携帯電子機器は、第一の筐体と、第一の筐体に取り付けられる第二の筐体と、第一及び第二の筐体に収納された電気基板と、電気基板に取り付けられた弾性を有する金属製の保持部材と、第一及び第二の筐体間に保持部材を挟み込んだ状態で固定し、電気基板を筐体内の所定位置に保持部材を介して固定する固定部材を有する。この構成により、第一及び第二の筐体間に電気基板を強く固定する。固定部材は、第一及び第二の筐体および保持部材を貫通するねじより構成され得る。
【０００９】
保持部材は金属板を段状に加工して形成することが可能である。この構成により、電気基板に容易に半田付けが可能であり、現在広く行われている電子部品の自動実装および、自動半田付けを利用することで、容易に組み立てが可能である。
【００１０】
また、保持部材は、好ましくは電気基板の表面と実質的に平行でかつ固定部材たるねじによって第一及び第二の筐体に対し固定された平面部と、電気基板に半田によって取り付けられた接合部を有する。そして平面部と接合部間の距離を第一及び第二の筐体内の構造に対応して設定することが可能である。この結果、電気基板の表面と平面部の距離を適切に設定することにより、筐体にあるねじボスやねじ座面の構造に依らず、第一及び第二の筐体内のスペースを有効利用することが可能となる。
【００１１】
保持部材はその接合部を介して、電気基板に半田によって取り付けられ、当該接合部は少なくとも一つの通孔を有し、半田が通孔内に存在することが好ましい。
【００１２】
第一及び第二の筐体の少なくとも一つのうち、少なくとも一部は金属製であることが好ましい。この構成により、通電時に第一の筐体または第二の筐体の少なくとも一つと、電気基板の一部を同電位にすることが可能となる。
【００１３】
本発明による携帯電子機器は、携帯電話機等種々の機器に応用することが可能であり、その応用範囲は広い。
【発明の効果】
【００１４】
本発明によれば、筐体内の構造に依らず、筐体に電気基板を強く固定し、かつ、筐体内のスペースを有効利用することが可能な携帯電子機器が提供される。
【発明を実施するための最良の形態】
【００１５】
以下、本発明に係る実施の形態について、添付図面を参照しながら詳細に説明する。    
【００１６】
図１は本発明の実施の形態に係る携帯電話機１５の斜視図を示す。この携帯電話機１５は、上側筐体１と下側筐体１６と、これらの筐体を連結するヒンジ部２とを備えた折りたたみ式の携帯電話機として構成されている。
【００１７】
図２は上側筐体１の分解図を示す。上側筐体１は、第一または第二の筐体としての外側筐体８と、携帯電話機１５の折りたたみ時に、図１の下側筐体１６と対向する第一または第二の筐体としての内側筐体９と、電気基板３と、金属製の保持部材４と、これらの部材を固定するねじ５を有する。
【００１８】
電気基板３と保持部材４は半田によって固定されている。この結果、電気基板３の一部と保持部材４は電気的に導通し、かつ、強く固定されている。
【００１９】
内側筐体９は金属製の筐体であり、内側筐体９と保持部材４は、ねじ５によって、外側筐体８に締結される。この結果、内側筐体９と保持部材４は接触により導通して、同電位となり、ねじ締結によって強く固定されている。
【００２０】
よって、内側筐体９と電気基板３の一部は、通電時において同電位で、かつ、外側および内側筐体８、９と電気基板３は強く固定されている。
【００２１】
図３は、図２中の保持部材４の拡大図である。
【００２２】
保持部材４は電気基板３に半田によって固定される。保持部材４は金属板の曲げ弾性およびねじり弾性によってすべての方向に弾性を持つ。また、保持部材４は自動実装時の吸着をより簡便にするために、その重心位置に平面部７を持つ。
【００２３】
また、保持部材４は、円弧状の切り欠き部１７を持つ。切り欠き部１７は、ねじ５が貫通するスペースを確保するために設けられるが、その形状は限定されず、円孔状に形成してもよい。切り欠き部を円弧状とすることにより、筐体内のスペースを確保しやすくなる。
【００２４】
図４は図２によって示された保持部材４および外側筐体８、内側筐体９の断面図である。
【００２５】
保持部材４は電気基板３に、半田６によって固定される。内側筐体９と保持部材４は、ねじ５によって、外側筐体８に締結される。保持部材４を外側筐体８、内側筐体９間の構成に対応して適宜加工することによって、ねじボスやねじ座面の構造に依らず上側筐体１内のスペースを有効に活用することができる。言い換えれば、上側筐体１内の省スペース化を達成することが可能となる。かつ、保持部材によって、電気基板３の一部と金属製の内側筐体９を同電位に保ち、電気基板３と外側筐体８と内側筐体９を強く固定することができる。
【００２６】
以上説明してきたように、筐体に電気基板が収納されている携帯電子機器において、電気基板に取り付けられた保持部材を、筐体に固定部材で固定することによって、筐体に電気基板を強く固定することが可能となる。かつ、落下時の衝撃・振動などの外力を直接電気基板に伝えることを防止することも可能となった。また、電気基板が圧縮されるのを防止することにより、ねじの緩みが発生する可能性を減らすことも可能となった。さらに、保持部材の構成を適宜調整することにより、筐体内にあるねじボスやねじ座面の構造に依らず筐体内のスペースを有効に活用することができる。また、筐体の一部が金属製である場合、通電時に筐体と電気基板の一部を同電位にすることが可能である。
【００２７】
図５は保持部材４の変形例を示す。本例の保持部材４は、電気基板３との接合部１０において微小な通孔１１を有する。この通孔１１に半田１２が流れ込むことによって、落下の衝撃や繰り返しの振動に対する接合の強度を上げている。
【００２８】
図６及び図７は、図５の保持部材４が電気基板３に接合された状態の断面図である。
【００２９】
保持部材４は半田１２によって電気基板３に接合される。このとき、部品の接合部１０の端部にできる半田の乗り上げ構造１３（フィレット）が接合強度と密接に関連している。保持部材４は電気基板との接合部１０に微小な穴を１つまたは２つ以上持っているので、他のフィレット１４がさらに形成され、接合強度が上がっている。
【００３０】
すなわち、通孔を１つまたは２つ以上有したとしても、保持部材４そのものの強度が大きく低下することはなく、現在広く行われている電子部品の自動実装および、自動半田付けを利用することで、通孔を持たない部品と同等の簡便さで組み立てが可能である。この半田によって取り付けられる部品が有する通孔には、半田付け時に半田（液体）が浸入する。半田が常温に戻ると、通孔に浸入した半田は周囲の半田と同様に固化し部品を強く電気基板と接合することができる。この半田によって取り付けられる部品を採用することにより、落下による衝撃や繰り返しの振動などの外力に対し十分に強い、携帯電子機器を提供することができる。
【００３１】
尚、本実施例の携帯電話機では、上側筐体に保持部材が適用されたが、下側筐体に保持部材を適用してもよい。また、本実施例では、本発明を開閉式の携帯電話機について適用したが、特にこれに限定されるものではなく、棒状（ストレート状）の携帯電話であってもかまわない。また、本発明は、このような各種の携帯電話機に限るものではなく、各種の携帯電子機器に適用可能である。また、本実施例の携帯電話機では、保持部材は２つとしたが、１つまたは、３つ以上でも構わない。また、保持部材、固定部材は、明細書及び図面に開示された構成及びその均等物に限られるものではない。
【００３２】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００３３】
本発明によれば、小型でかつ外部からの衝撃・振動に強い携帯電子機器が提供される。
【図面の簡単な説明】
【００３４】
【図１】本発明の実施の形態に係る携帯電話機の斜視図である。
【図２】本発明の実施の形態に係る携帯電話機の上側筐体の分解斜視図である。
【図３】図２中の保持部材および電気基板の拡大斜視図である。
【図４】図２中の保持部材、電気基板、筐体およびねじの断面図である。
【図５】保持部材の変形例の拡大斜視図である。
【図６】図５の保持部材の接合部の拡大斜視図である。
【図７】図５の保持部材が電気基板に接合された状態の断面図である。
【図８】背景技術の携帯電子機器の電気基板、筐体およびねじの断面図である。
【符号の説明】
【００３５】
１  上側筐体
２  ヒンジ
３  電気基板
４  保持部材
５  ねじ
６  半田
７  平面部
８  外側筐体
９  内側筐体
１０  接合部
１１  通孔
１２  半田
１３  フィレット
１４  フィレット
１５  携帯電話機
１６  下側筐体
１００  携帯電子機器
１０１  筐体
１０２  筐体
１０３  電気基板
１０５  ねじ
【図１】
2005303159.tif 000003
【図２】
2005303159.tif 000004
【図３】
2005303159.tif 000005
【図４】
2005303159.tif 000006
【図５】
2005303159.tif 000007
【図６】
2005303159.tif 000008
【図７】
2005303159.tif 000009
【図８】
2005303159.tif 000010